(57)【要約】  【課題】  押しボタンに大きな衝撃力が加わっても、スイッチに過大な力を与えることなく、スイッチを確実に作動させる。  【解決手段】  操作部材３４は、弾性板により一体形成してあって、その中央部位３４Ａに設けたスイッチ作動部３６と、中央部位３４Ａより分岐された四つの分岐部３７を有しており、操作部材３４は、分岐部３７の先部を押しボタン部４のプランジャ４１に当接した状態でスイッチ本体１内に収容してあって、スイッチ作動部３６がタクタイルスイッチ２６の可動部２６Ｃに接触させてあり、分岐部３７は、押しボタン部４により押圧されることで撓み、当該分岐部３７に加わる力がスイッチ作動部３６に作用してタクタイルスイッチ２６を作動させるようにした。【選択図】  図４
2006324044.tif 000002
【特許請求の範囲】
【請求項１】
スイッチ本体内に設けられたスイッチを、押しボタン部の操作により操作部材を介して動作させる押しボタンスイッチであって、
前記操作部材は、弾性板により一体形成してあって、その中央部位に設けたスイッチ作動部と、前記中央部位より分岐された複数の分岐部を有して構成し、
前記分岐部は、前記押しボタン部により押圧されることにより、当該分岐部の先部に加わる力を前記スイッチ作動部に作用させて前記スイッチが作動するようにしたことを特徴とする押しボタンスイッチ。
【請求項２】
前記分岐部の先部が、前記押しボタン部に当接した状態で前記スイッチ本体内に収容されるとともに、前記スイッチ作動部が前記スイッチに接触していることを特徴とする請求項１記載の押しボタンスイッチ。
【請求項３】
前記スイッチ作動部は、前記中央部位に突設した突起部であり、この突起部が前記スイッチ部の可動部を押圧することで前記スイッチを作動させるようにしたことを特徴とする請求項１又は請求項２に記載の押しボタンスイッチ。
【請求項４】
前記分岐部は、前記中央部位より四方に放射状に分岐しており、少なくとも相対向する一対の前記分岐部がばね部材により荷重調整されていることを特徴とする請求項１乃至請求項３のいずれか一に記載の押しボタンスイッチ。
【請求項５】
前記押しボタン部は、押しボタンと、この押しボタンに連動するプランジャとで構成してあり、前記分岐部の先部に孔部を設けると共に、これらの孔部の周部にばね受部を設け、前記プランジャに突起部を設けて、前記孔部に前記突起部を遊嵌すると共に、前記ばね受部で前記ばね部材を受けて、前記分岐部の先部を前記プランジャに当接させるようにしたことを特徴とする請求項４に記載の押しボタンスイッチ。
【請求項６】
前記スイッチがタクタイルスイッチである請求項１乃至請求項５の何れかの一に記載の押しボタンスイッチ。
【発明の詳細な説明】
【技術分野】
【０００１】
本発明は、例えば、エレベータの昇降方向を指示する方向指示スイッチ等に使用する押しボタンスイッチに関する。
【背景技術】
【０００２】
従来、この種の押しボタンスイッチとしては、図１２に示すものがある。この押しボタンスイッチはベース（筐体）６０を備えており、このベース６０の端部には、スイッチ６１を実装したＰＣボード（プリント配線板）６２が固着してあり、このベース６０の内部中央にはガイド孔６３が設けてある。そして、このガイド孔６３にはロッド６４が摺動自在に収納してあり、このロッド６４の先端はスイッチ６１に当接している。
【０００３】
また、ベース６０にはスプリングプレート６５が収容してあり、このスプリングプレート６５は、正方形状の枠部６６と、この枠部６６の各辺の中央にそれぞれ伸設された梃子部材片６７とからなっており、この梃子部材片６７がロッド６４の基端面に接している。そして、スプリングプレート６５とベース６０との間には圧縮スプリング６８が介装してある。
【０００４】
また、ベース６０には、その開口側からストッパ部材６９が摺動自在に収納してあり、このストッパ部材６９には複数の押庄部７０が形成してあって、この押圧部７０は梃子部材片６７の中間部に当接している。
【０００５】
ストッパ部材６９の端面には、ＬＥＤ基板７１とキートップ７２が装着してあり、このキートップ７２にはボタンプレート７３が接着しあり、このボタンプレート７３とキートップ７２とストッパ部材６９とで押し部材を構成している。
【０００６】
そして、ボタンプレート７３を押すと、ストッパ部材６９は圧縮スプリング６８の付勢力に抗して押され、押圧部７０が梃子部材片６７の中間部を押す。そうすることで、梃子部材片６７の先端部は基端部を支点としてロッド６４に作用して、これを押す。ここで、ストッバ部材６９の押す量は梃子部材片６７によって増幅され、ロッド６４によってスイッチ６１は押し込まれてオン作動する（特許文献１及び関連する技術を示す特許文献２、３参照）。
【特許文献１】特開平  ７−２２３７８１号公報
【特許文献２】特開平１１−３１４８６１号公報
【特許文献３】特開２００４−２２７８９０号公報
【発明の開示】
【発明が解決しようとする課題】
【０００７】
しかし、上記した従来の押しボタンスイッチにあっては、ボタンプレート７３を押すことで、ストッパ部材６９の押圧部７０が梃子部材片６７を押し、ストッパ部材６９の押す量が梃子部材片６７によって増幅され、ロッド６４によってスイッチ６１をオン作動する構成であるために、強い力でボタンプレート７３を押込むと、この力が増幅されてスイッチ６１に作用し、スイッチ６１に過大な負荷が加わり、このスイッチ６１が所定ストローク以上作動してしまい故障の原因ともなりかねなかった。
【０００８】
本発明はかかる従来の技術を改善するためになされたもので、その目的とするところは、押しボタンに大きな衝撃力が加わっても、スイッチに過大な力を与えないようになって、スイッチを所定ストローク以上作動しないようにして常時確実に作動させることができる押しボタンスイッチを提供することである。
【課題を解決するための手段】
【０００９】
上記の目的を達成するために、本発明に係る押しボタンスイッチは、スイッチ本体内に設けられたスイッチを、押しボタン部の操作により操作部材を介して動作させる押しボタンスイッチであって、操作部材が、弾性板により一体形成してあって、その中央部位に設けたスイッチ作動部と、中央部位より分岐された複数の分岐部を有して構成し、分岐部が、押しボタン部により押圧されることにより、当該分岐部の先部に加わる力をスイッチ作動部に作用させてスイッチが作動するようにしたことを特徴とする。
【００１０】
かかる構成により、操作部材の分岐部は、その先部に押しボタンに加わる押込み力を受けることで撓み、当該分岐部に加わる力がスイッチ作動部に作用してスイッチを作動させるために、押しボタンに大きな衝撃力が加わっても、この衝撃力は分岐部の撓みにより吸収され、スイッチに過大な力を与えないようになり、スイッチを確実に作動させることができる。
【００１１】
また、押しボタンの何れの個所を押圧しても、押しボタンにより操作部材の分岐部が押圧されてスイッチ作動部がスイッチを動作させるようにしたために、片押し状態（隅押し状態）でもスイッチを確実に動作させることができると共に、スイッチ作動部が各分岐部の中央に位置しているために、押しボタンの何れの個所を押圧してもスイッチを動作させる為に必要なストロークは慎重に得られるようになり、これによって押しボタンスイッチの操作性が一段と向上する。
【００１２】
また、弾性板により操作部材を形成することができるために、スイッチ全体の薄型化が図れるようになるし、操作部材の軽量化及びコストの低減が図れる上、弾性板により操作部材を一体成形できるために、部品点数の削減も図れる。
【００１３】
なお、スイッチ本体とは、例えば、ベース部材とカバー部材との組立体が該当し、押しボタン部とは、例えば、押しボタンとこの押しボタンに連動するプランジャが該当し、スイッチとは、例えば、スイッチ基板に実装されたタクタイルスイッチが該当し、スイッチ作動部とは、例えば、タクタイルスイッチの可動部に接触する突起部が該当する。
【００１４】
また、本発明にかかる押ボタンスイッチは、上記した本発明にかかる押ボタンスイッチにおいて、分岐部の先部が、押しボタン部に当接した状態でスイッチ本体内に収容されるとともに、スイッチ作動部がスイッチに接触していることを特徴とする。
【００１５】
かかる構成により、分岐部の先部が押しボタン部に当接するとともにスイッチ作動部がスイッチに接触した構成をとるために、押しボタン部の押し込み力を正確に分岐部の先部に作用させることができるとともに、当該先部の作用に伴ってスイッチ作動部が正確にスイッチを作動させることができる。
【００１６】
また、本発明に係る押しボタンスイッチは、上記した本発明に係る押しボタンスイッチにおいて、スイッチ作動部は、中央部位に突設した突起部であり、この突起部がスイッチの可動部を押圧することでスイッチを作動させるようにしたことを特徴とする。
【００１７】
かかる構成により、突起部がスイッチの可動部を押圧して、このスイッチを確実に作動させることができる。
【００１８】
また、本発明に係る押しボタンスイッチは、上記した本発明に係る押しボタンスイッチにおいて、分岐部は、中央部位より四方に放射状に分岐しており、少なくとも相対向する一対の分岐部がばね部材により荷重調整されていることを特徴とする。
【００１９】
かかる構成により、ばね部材により分岐部は荷重調整されていて、ばね強度が大きくなり、押しボタンに加わる衝撃力は、分岐部とばね部材が吸収緩衝するようになるために、より確実にスイッチに過大な力を与えないようになり、スイッチを確実に作動させることができる。
【００２０】
また、本発明に係る押しボタンスイッチは、上記した本発明に係る押しボタンスイッチにおいて、押しボタン部は、押しボタンと、この押しボタンに連動するプランジャとで構成してあり、分岐部の先部に孔部を設けると共に、これらの孔部の周部にばね受部を設け、プランジャに突起部を設けて、孔部に突起部を遊嵌すると共に、ばね受部でばね部材を受けて、分岐部の先部をプランジャに当接させるようにしたことを特徴とする。
【００２１】
かかる構成により、孔部に突起部を遊嵌すると共に、ばね受部でばね部材を受けることで、分岐部の先部のプランジャへの当接が確実なものになるために、プランジャから分岐部の先部への力の伝達が良好になって、操作部材のスイッチへの動作を確実なものにすることができる。
【００２２】
また、本発明に係る押しボタンスイッチは、上記した本発明に係る押しボタンスイッチにおいて、スイッチがタクタイルスイッチであることを特徴とする。
【００２３】
かかる構成により、タクタイルスイッチ自身の有するクリック感を利用して操作時のクリック感が得られるため、操作性がさらに向上する。
【発明の効果】
【００２４】
本発明に係る押しボタンスイッチによれば、操作部材の分岐部は、その先部に押しボタンに加わる押込み力を受けることで撓み、当該分岐部に加わる力がスイッチ作動部に作用してスイッチを作動させるために、押しボタンに大きな衝撃力が加わっても、この衝撃力は分岐部の撓みにより吸収され、スイッチに過大な力を与えないようになり、スイッチを確実に作動させることができる。
【００２５】
また、押しボタンの何れの個所を押圧しても、押しボタンにより操作部材の分岐部が押圧されてスイッチ作動部がスイッチを動作させるために、片押し状態でもスイッチを確実に動作させることができると共に、スイッチ作動部が各分岐部の中央に位置しているために、押しボタンの何れの個所を押圧してもほぼ同じ操作荷重が得られるようになり、これによって押しボタンスイッチの操作性が一段と向上する。
【００２６】
また、弾性板により操作部材を形成することができるために、スイッチ全体の薄型化が図れるようになるし、操作部材の軽量化及びコストの低減が図れる上、弾性板により操作部材を一体成形できるために、部品点数の削減も図れる。
【発明を実施するための最良の形態】
【００２７】
本発明の実施の形態を、図面を参照して詳述する。
【００２８】
図１は本発明に係る押しボタンスイッチの斜視図、図２は同押しボタンスイッチを取付パネルに取付ける状態の斜視図、図３は同押しボタンスイッチを取付パネルに取付けた状態の斜視図、図４は同押しボタンスイッチの縦断面図、図５は同押しボタンスイッチの分解状態の斜視図、図６は同押しボタンスイッチにおいて、ベース部材、スイッチ部、スイッチ駆動部及びプランジャの部分の分解状態を斜め上から見た斜視図、図７は同押しボタンスイッチにおいて、ベース部材、スイッチ部、スイッチ駆動部及びプランジャの部分の分解状態を斜め下から見た斜視図、図８は同押しボタンスイッチにおいて、ベース部材、スイッチ部、スイッチ駆動部及びプランジャの部分の組立てた状態の斜視図である。
【００２９】
押しボタンスイッチＡは、図５に示すように、スイッチ本体１と、このスイッチ本体１に収容されたスイッチ部２と、スイッチ本体１に収容され且つスイッチ部２を作動するスイッチ駆動部３と、押しボタン部４とを備えている。
【００３０】
スイッチ本体１はベース部材５とカバー部材６とより構成してある。ベース部材５は、図６に示すように、円形状の底面部５ａと、その周辺に立設された周壁部５ｂを有していて、底面部５ａには略六角形状の開口部７とが形成してある。また、底面部５ａの内面側には略正方形状のスイッチ基板装着部８と、このスイッチ基板装着部８の周りのシール受部８Ａが形成してある。
【００３１】
そして、底面部５ａの内面には、図４及び図６に示すように、スイッチ基板装着部８の四隅に位置させてばね係止用突起部９とストッパ挿入部１０が設けてあり、これらストッパ挿入部１０には平面視コ字形状のガイド部１１が設けてあって、このガイド部１１にはプランジャ用ストッパ１１Ａが設けてある。また、開口部７の互いに対向する辺縁部７ａには基板押え１２が設けてある。
【００３２】
そして、底面部５ａの周部５ｂには、図６に示すように、その周部を四等分した箇所にそれぞれカバー係合部１３が形成してあり、これらのカバー係合部１３は周部５ｂに形成した凹部１４に係止突起部１５を設けて構成してある。
【００３３】
カバー部材６は、図４及び図５に示すように、中空円筒形状のカバー本体６Ａを有しており、このカバー本体６Ａの外端面部６ａにはパッキン装着溝部１８が形成してあり、また、カバー本体６Ａの内周にはネジ部１９が形成してある(図４参照)。そして、カバー本体６Ａの内端部はシール押え部２０にしてある。そして、カバー本体６Ａには、その周方向を四等分した箇所に係止片部２１が形成してある。これらの係止片部２１の先部には係止孔部２２が設けてある。
【００３４】
スイッチ部２は、図６及び図７に示すように、スイッチ基板２５と、このスイッチ基板２５に実装されたスイッチであるタクタイルスイッチ２６と、スイッチ基板２５に実装されたコネクタ２７とをユニット化して構成してある。すなわち、スイッチ基板２５は略正方形状であって、その四隅が切り欠いてあり、このスイッチ基板２５の表側にタクタイルスイッチ２６が実装してあり、スイッチ基板２５の裏側にコネクタ２７が実装してある。
【００３５】
タクタイルスイッチ２６は、図６に示すように、スイッチケース２６Ａの頂部に設けた開口部２６Ｂに可動部２６Ｃを突出させている。また、スイッチ基板２５の表側には、複数個、例えば４個のＬＥＤ３３がタクタイルスイッチ２６の四方に位置するようにして実装してある。
【００３６】
スイッチ駆動部３は、図５乃至図７に示すように、操作部材３４と四個のばね部材であるコイルばね３５とより構成してある（図５、図６、図７では二個のばね部材３５が表示してある）。この操作部材３４は、弾性を有する、例えば、板厚が０．５ｍｍ程度の金属板を打ち抜き成形することにより形成したもので、タクタイルスイッチ２６を動作させる突起状のスイッチ作動部３６が設けられた中央部位３４Ａと、この中央部位３４Ａから四方に分岐された４本の分岐部３７を有していて、全体がほぼ十字形の一体成形にしてある。そして、各分岐部３７の先端部には孔部３８が形成してある。また、孔部３８の周部には円環状のばね受部３８Ａが形成してある。
【００３７】
押しボタン部４は、図５に示すように、円形キャップ状の押しボタン４０と、プランジャ４１と、シール部材４２とより構成してある。押しボタン４０は、図５に示すように、その天井部４３の周部に周壁部４４を形成しており、この周壁部４４の端部にフランジ部４５が形成してある。
【００３８】
また、プランジャ４１は、図４に示すように、中空円筒形状のプランジャ本体４６Ａと、プランジャ本体４６Ａの内端部４６ｂに連設されたスカート部４６Ｂを有しており、プランジャ本体４６Ａの外周部にはシール装着溝部４７が形成してあり、また、スカート部４６Ｂには、図７に示すように、その周方向を四等分した箇所に挿入部４８が設けてあり、これらの挿入部４８の端面部（カバー本体６Ａの内端部６ｂ）には突起部４９が設けてある。
【００３９】
挿入部４８は、図７或いは図８に示すように、スカート部４６Ｂを切欠して形成された開設部５０と、この開設部５０の外方に位置する片状のストッパ部５１とで囲まれており、ストッパ部５１はプランジャ本体４６Ａに一体に形成してある。そして、ストッパ部５１の先部には外方に突出するようにした爪部５１Ａが設けてある。
【００４０】
シール部材４２は、図４及び図５に示すように、弾性を有する素材、例えば、合成ゴムを中空截頭円錐形状に成形した薄肉のシール本体４２Ａを有しており、このシール本体４２Ａの基部は肉厚の基側シール部５２にしてあり、シール本体４２Ａの先部は肉厚の先側シール部５３にしてある。
【００４１】
次に、押しボタンスイッチＡの組立てを説明する。
【００４２】
図４及び図６に示すように、ベース部材５の底面部５ａに、そのスイッチ基板装着部８にスイッチ基板２５を装着してスイッチ部２を取付ける。この場合、ベース部材５に設けた基板押え１２がスイッチ基板２５を押えて固定する。そして、図４に示すように、スイッチ基板２５が底面部５ａの開口部７を閉塞していて、この開口部７からコネクタ２７が外方に突出し、ベース部材５の中央にタクタイルスイッチ２６が位置するようになる。
【００４３】
そして、図４に示すように、底面部５ａに設けたばね係止用突起部９にコイルばね３５の一端部（下端部）を係止し、タクタイルスイッチ２６上に操作部材３４を載せて、操作部材３４の中央部位３４Ａのスイッチ作動部３６をタクタイルスイッチ２６の可動部２６Ｃに接触させる。そして、操作部材３４の四本の分岐部３７のばね受部２８Ａをコイルばね３５の他端部（上端部）に嵌合させる。
【００４４】
そして、図４に示すように、ベース部材５に、操作部材３４に重ねるようにしてプランジャ４１を装着する。この場合、プランジャ４１に設けた挿入部４８の突起部４９を操作部材３４の分岐部３７の孔部３８に遊嵌させる。
【００４５】
また、プランジャ４１のストッパ部５１をベース部材５のガイド部１１を介してストッパ挿入部１０に挿入する。プランジャ４１はコイルばね３５のばね力により持ち上げられることで、このプランジャ４１に設けたストッパ部５１の爪部５１Ａが、ベース部材５に設けたプランジャ用ストッパ１１に引っ掛かる。
【００４６】
そして、図４に示すように、プランジャ４１にシール部材４２を装着する。この場合、シール部材４２の先側シール部５３をプランジャ４１のシール装着溝部４７に嵌合させ、また、シール部材４２の基側シール部５２をベース部材５に設けたシール受部８Ａに当接させる。したがって、シール部材４２はプランジャ４１とベース部材５との隙間を覆うになる。
【００４７】
そして、図４に示すように、ベース部材５にカバー部材６を装着する。この場合、カバー部材６に設けた四本の係止片部２１が、ベース部材５のカバー係合部１３の凹部１４に挿入してあって、係止片部２１の係止孔部２２に係止突起部１５が係止してある。そして、カバー部材６のシール押え部２０がシール部材４２の基側シール部５２をシール受部８Ａと共に挟着している。
【００４８】
そして、図４に示すように、プランジャ４１に押しボタン４０が被せてある。この押しボタン４０の取付けは、押しボタンスイッチＡが取付パネルＢに取付けられる際に使用する取付リング５４で行なわれる。この取付リング５４は、図２及び図４に示すように、その外周部に雄ネジ部５５とフランジ部５６とを有し、内周部に段部よりなるストッパ部５７を有している。
【００４９】
そして、図２及び図４に示すように、取付パネルＢの円形状の取付孔５８に押しボタン４０を挿入して、カバー部材６のパッキン装着溝部１８に装着したパッキン５９を取付パネルＢの裏面に当接し、取付孔５５に取付リング５４を挿入して、この取付リング５４の雄ネジ部５５をカバー部材６の雌ネジ部１９に螺合させ、取付リング５４のフランジ部５６とカバー部材６の端面部とで取付パネルＢを挟持することで押しボタンスイッチＡが取付パネルＢに取付けられるのであり、この際に、押しボタン４０は、コイルばね３５のばね力によりプランジャ４１を介して持ち上げられていて、押しボタン４０のフランジ部４５が取付リング５４のストッパ部５７に衝合し、押しボタン４０の取付けが行なわれている。
【００５０】
次に、上記のように構成された押しボタンスイッチＡの作動を説明する。
【００５１】
押しボタン４０による押込みがない状態では、図９に示すように、コイルばね３５のばね力によりプランジャ４１が持ち上げられていて、このプランジャ４１に設けたストッパ部５１の爪部５１Ａがプランジャ用ストッパ１１Ａに引っ掛けてある。そして、操作部材３４の四本の分岐部３７には押込み力が働いておらず、操作部材３４の中央部位３４Ａのスイッチ作動部３６がタクタイルスイッチ２６の可動部２６Ｃに接触している。
【００５２】
この状態から図１０に示すように、押しボタン４０の中央に押込み力を加えて押込むと、この押しボタン４０は偏りすることなく、図１０において下方に移動（平行移動）する。このために、プランジャ４１がコイルばね３５に抗して下方に押し込まれて操作部材３４の四本の分岐部３７は、同じストロークで下方に押される。
【００５３】
したがって、四本の分岐部３７は撓み、分岐部３７に加わる力は操作部材３４の中央部位３４Ａに作用して、スイッチ作動部３６がタクタイルスイッチ２６の可動部２６Ｃを押し込み、このタクタイルスイッチ２６をオン作動させる。例えば、分岐部３７のストロークが１ｍｍになれば、スイッチ作動部３６のストロークが０．６ｍｍになり、通常タクタイルスイッチ２６を作動させるに必要な所定ストロークは０．６ｍｍ前後位に設定されていることから、分岐部３７のストロークが、１ｍｍ程度設定できれば、タクタイルスイッチ２６を十分作動させることができる。
【００５４】
そして、押しボタン４０の押込みを解除すると、分岐部３７の復元力とコイルばね３５のばね力によりプランジャ４１が持ち上げられて、このプランジャ４１に設けたストッパ部５１の爪部５１Ａがプランジャ用ストッパ１１Ａに引っ掛かり、分岐部３７は元の状態に復帰し、スイッチ作動部３６の可動部２６Ｃへの押込み力が解除されてタクタイルスイッチ２６をオフ作動させる。
【００５５】
また、図１１に示すように、押しボタン４０を作用点Ｐで隅押し（片押し）した場合には、この押しボタン４０は偏って、図１１において下方に移動する。このために、プランジャ４１の作用点Ｐ側がコイルばね３５に抗して下方に押し込まれて操作部材３４の四本の分岐部３７のうちの一つ（又は二つ）が下方に押されて撓む。
【００５６】
押されない分岐部３７はプランジャ４１の挿入部４８に当接しているために、押された分岐部３７に加わる力は操作部材３４の中央部位３４Ａに作用して、スイッチ作動部３６がタクタイルスイッチ２６のスイッチ可動部２６Ｃを押し込み、このタクタイルスイッチ２６をオン作動させる。例えば、押された分岐部３７のストロークが１ｍｍになれば、スイッチ作動部３６のストロークが０．６ｍｍになり、タクタイルスイッチ２６を十分作動させるようになる。
【００５７】
そして、押しボタン４０の隅押込みを解除すると、コイルばね３５のばね力によりプランジャ４１が持ち上げられて、このプランジャ４１に設けたストッパ部５１の爪部５１Ａがプランジャ用ストッパ１１Ａに引っ掛かり、分岐部３７は元の状態に復帰し、スイッチ作動部３６の可動部２６Ｃへの押込み力が解除されてタクタイルスイッチ２６をオフ作動させる。
【００５８】
また、コイルばね３５は、十字状ばねである操作部材３４の荷重調整をしており、ばね荷重を強めている。したがって、操作部材３４の四本の分岐部３７の先部はコイルばね３５に接しているために、押しボタン４０に加わる衝撃力は分岐部３７とコイルばね３５が吸収緩衝してタクタイルスイッチ２６には衝撃力がかからないようになる。
【００５９】
このため、コイルばね３５は、調整荷重の多寡によっては４本の分岐部３７全てに対応させて設ける必要がない場合もある。
【００６０】
上記したように、本発明の実施の形態によれば、押しボタン４３の押込み力が操作部材３４の分岐部３７に作用して撓ませ、スイッチ作動部３６に作用してタクタイルスイッチ２６を作動させるようになり、押しボタン４３に大きな衝撃力が加わった場合、この衝撃力は分岐部３７及びコイルばね３５の撓みにより吸収され、タクタイルスイッチ２６に過大な力を与えないようなり、タクタイルスイッチ２６を確実に作動させることができる。
【００６１】
また、押しボタン４３の何れの個所を押圧しても、押しボタン４３により操作部材３４の分岐部３７が押圧されてスイッチ作動部３６がタクタイルスイッチ２６を動作させるために、片押し状態でもタクタイルスイッチ２６を確実に動作させることができると共に、スイッチ作動部３６が各分岐部３７の中央に位置しているために、押しボタン４３の何れの個所を押圧してもタクタイルスイッチ２６を動作させる為に、必要なストロークは確実に得られるようになり、これによって押しボタンスイッチの操作性が一段と向上する。
【００６２】
また、弾性板により操作部材３４を形成することができるために、スイッチ全体の薄型化が図れるようになるし、操作部材３４の軽量化及びコストの低減が図れる上、弾性板により操作部材を一体成形できるために、部品点数の削減も図れる。
【００６３】
また、本発明の実施の形態によれば、分岐部３７の先部に孔部３８を設けると共に、これらの孔部３８の周部にばね受部３８Ａを設け、プランジャ４１に突起部４９を設けて、孔部３８に突起部４９を遊嵌すると共に、ばね受部３８Ａでコイルばね３５を受けて、分岐部３７の先部をプランジャ４１の挿入部４８に当接させるようにしたことにより、分岐部３７の先部のプランジャ４１への当接が確実なものになるために、プランジャ４１から分岐部３７の先部への力の伝達が良好になって、操作部材３４のタクタイルスイッチ２６への動作を確実なものにすることができる。
【００６４】
また、本発明の実施の形態によれば、タクタイルスイッチ２６自身の有するクリック感を利用して操作時のクリック感が得られるため、操作性がさらに向上する。
【産業上の利用可能性】
【００６５】
本発明に係る押しボタンスイッチによれば、操作部材の分岐部は、その先部に押しボタンに加わる押込み力を受けることで撓み、当該分岐部に加わる力がスイッチ作動部に作用してスイッチ部を作動させるために、押しボタンに大きな衝撃力が加わっても、この衝撃力は分岐部の撓みにより吸収され、スイッチに過大な力を与えないようなり、スイッチを確実に作動させることができるという効果を有しており、例えば、エレベータの昇降方向を指示する方向指示スイッチ等に使用する押しボタンスイッチとして有用である。
【図面の簡単な説明】
【００６６】
【図１】本発明に係る押しボタンスイッチの斜視図である。
【図２】同押しボタンスイッチを取付パネルに取付ける状態の斜視図である。
【図３】同押しボタンスイッチを取付パネルに取付けた状態の斜視図である。
【図４】同押しボタンスイッチの縦断面図である。
【図５】同押しボタンスイッチの分解状態の斜視図である。
【図６】同押しボタンスイッチにおいて、ベース部材、スイッチ部、スイッチ駆動部及びプランジャの部分の分解状態を斜め上から見た斜視図である。
【図７】同押しボタンスイッチにおいて、ベース部材、スイッチ部、スイッチ駆動部及びプランジャの部分の分解状態を斜め下から見た斜視図である。
【図８】同押しボタンスイッチにおいて、ベース部材、スイッチ部、スイッチ駆動部及びプランジャの部分の組立て状態の斜視図である。
【図９】同押しボタンスイッチにおいて、押しボタンによる押込みがない状態の縦断面図である。
【図１０】同押しボタンスイッチにおいて、押しボタンの中央を押込んだ状態の縦断面図である。
【図１１】同押しボタンスイッチにおいて、押しボタンを隅押込みした状態の縦断面図である。
【図１２】従来の押しボタンスイッチの分解状態の斜視図である。
【符号の説明】
【００６７】
Ａ      押しボタンスイッチ
１      スイッチ本体
２      スイッチ部
３      スイッチ駆動部
４      押しボタン部
５      ベース部材
６      カバー部材
２５    スイッチ基板
２６    タクタイルスイッチ（スイッチ）
２６Ｃ  可動部
２７    コネクタ
３４    操作部材
３４Ａ  中央部位
３５    コイルばね（ばね部材）
３６    スイッチ作動部（突起部）
３７    分岐部
３８    孔部
３８Ａ  ばね受部
４０    押しボタン
４１    プランジャ
４２    シール部材
４９    突起部
【図１】
2006324044.tif 000003
【図２】
2006324044.tif 000004
【図３】
2006324044.tif 000005
【図４】
2006324044.tif 000006
【図５】
2006324044.tif 000007
【図６】
2006324044.tif 000008
【図７】
2006324044.tif 000009
【図８】
2006324044.tif 000010
【図９】
2006324044.tif 000011
【図１０】
2006324044.tif 000012
【図１１】
2006324044.tif 000013
【図１２】
2006324044.tif 000014